(57)【要約】【課題】空調装置の熱交換器フィンの洗浄に適した熱交換器フィンの洗浄装置を提供する。【解決手段】熱交換器フィンの洗浄装置１０は、洗浄用の蒸気を生成する蒸気生成装置１２と、蒸気生成装置１２に装着されるカバーノズル１４と、カバーノズル１４の先端面から突出したブラシ１６と、から構成されている。このカバーノズル１４は、蒸気生成装置の噴出口から噴出される蒸気の周囲への拡散を規制すると共に洗浄部位に効率的に集中させて蒸気を噴出させる。ブラシ１６は、ブラシ長さが異なる凸部と凹部とが繰り返された櫛歯状に形成されている。これにより、ブラシ１６は、フィン３２に摺接して汚れを落とすことができる。【選択図】図２
2005273967.tif 000002
【特許請求の範囲】
【請求項１】
空調装置に備えられる熱交換器のフィンを洗浄する熱交換器フィンの洗浄装置であって、
洗浄用の蒸気を生成し、生成された蒸気を噴出口から噴出させる蒸気生成装置と、
前記蒸気生成装置の噴出口に装着され、蒸気の拡散を規制するカバーノズルと、
前記カバーノズル先端面から突出し、熱交換器のフィンの外形形状にほぼ整合した櫛歯形状を有するブラシと、
を備える熱交換器フィンの洗浄装置。
【請求項２】
空調装置に備えられる熱交換器のフィンを洗浄する熱交換器フィンの洗浄装置用ノズルであって、
洗浄用の蒸気を生成し該蒸気を噴出させる蒸気生成装置の噴出口に装着され、蒸気の拡散を規制するカバーノズルと、
前記カバーノズル先端面から突出し、熱交換器のフィンの外形形状にほぼ整合した櫛歯形状を有するブラシと、
を備える熱交換器フィンの洗浄装置用ノズル。
【発明の詳細な説明】
【技術分野】
【０００１】
本発明は、熱交換器フィンの洗浄装置及びそのノズルに関し、熱交換器フィンの洗浄に適した熱交換器フィンの洗浄装置及びノズルの改良に関する。
【背景技術】
【０００２】
図３は、空調装置に備えられる熱交換器の洗浄の従来例を示す図である。図３に示すように、空調装置に備えられる熱交換器３０のフィン３２は、所定間隔を開けて配置された複数のフィン列３４から構成されている。このような熱交換器３０のフィン３２は、熱交換器３０を覆っているカバー（図示せず）が取り外され、例えば以下に説明するように洗浄される。
【０００３】
図３の右側に洗浄装置４０が示されており、洗浄用薬品が溶かされた洗浄水４２が容器４４に貯められ、ポンプ４６に給水ホース４８とノズルガン５０が接続される。ポンプ４６が作動すると、洗浄水４２が給水ホース４８を介してノズルガン５０に圧送される。ノズルガン５０はフィン３２の表面から所定距離離されて保持され、ノズルガン５０の噴霧ノズル５０ａから洗浄水４２がフィン３２に向かって噴霧され、洗浄作業が行われる。
【発明の開示】
【発明が解決しようとする課題】
【０００４】
しかしながら、上述したような洗浄では、洗浄水４２は噴霧により洗浄対象のフィン３２以外の周囲に飛散する。従って、洗浄対象であるフィン３２に洗浄水４２を効率的に吹き付けることができないという問題がある。また、飛散した洗浄水４２がフィン３２以外に付着しないように、フィン３２以外の周囲の物に保護カバーを掛けるという作業が生じていた。なお、このような飛散した洗浄水４２が保護カバーを越えて空調装置の電装部に侵入すれば絶縁不良等の故障を引き起こす可能性もある。
【０００５】
また、上述したような洗浄装置４０は、洗浄水４２を貯める容器４４やノズルガン５０等洗浄に必要な機器が多く、大型で準備に時間がかかるという問題があった。
【０００６】
そこで、本発明は上記課題を解決するためになされたもので、洗浄水の周囲への飛散を抑制した熱交換器フィンの洗浄装置及びそのノズルを提供することを目的とする。
【０００７】
また、本発明は、小型の熱交換器フィンの洗浄装置を提供することを目的とする。
【課題を解決するための手段】
【０００８】
本発明の熱交換器フィンの洗浄装置は、空調装置に備えられる熱交換器のフィンを洗浄する熱交換器フィンの洗浄装置であって、洗浄用の蒸気を生成し、生成された蒸気を噴出口から噴出させる蒸気生成装置と、蒸気生成装置の噴出口に装着され、蒸気の拡散を規制するカバーノズルと、カバーノズル先端面から突出し、熱交換器のフィンの外形形状にほぼ整合した櫛歯形状を有するブラシと、を備える。
【０００９】
本発明の熱交換器フィンの洗浄装置用ノズルは、空調装置に備えられる熱交換器のフィンを洗浄する熱交換器フィンの洗浄装置用ノズルであって、洗浄用の蒸気を生成し該蒸気を噴出させる蒸気生成装置の噴出口に装着され、蒸気の拡散を規制するカバーノズルと、カバーノズル先端面から突出し、熱交換器のフィンの外形形状にほぼ整合した櫛歯形状を有するブラシと、を備える。
【発明の効果】
【００１０】
本発明によれば、熱交換器フィンに適合するノズルを有するので、洗浄水の拡散を規制すると共にフィンに接触して汚れを落とすことができる。
【発明を実施するための最良の形態】
【００１１】
以下、発明を実施するための形態（以下、実施形態という）について、図面を参照し説明する。図１は、本実施形態の熱交換器フィンの洗浄装置１０の全体構成を示す図であり、図２は、そのノズルの拡大図であり、図１、図２には、洗浄対象となる熱交換器が示されている。なお、前述した従来の技術に示した部材と同一又は類似する部材には、同一符号付し詳細な説明を省略する。
【００１２】
本実施形態の熱交換器フィンの洗浄装置１０は、洗浄用の蒸気を生成する蒸気生成装置１２と、蒸気生成装置１２の蒸気の噴出口に装着されるカバーノズル１４と、カバーノズル１４の先端面から突出したブラシ１６と、から構成されている。このカバーノズル１４とブラシ１６は本発明のノズル１８に相当する。以下、詳細に説明する。
【００１３】
蒸気生成装置１２は、例えば広く市販されているスチームクリーナで構成することができる。蒸気生成装置１２には電源コード２０が接続されている。電源が入れられると、蒸気生成装置１２は、内部の容器に蓄えられている水を蒸発させて高温、高圧の蒸気を生成する。生成された蒸気は、噴出口１２ａから外部に噴出されるようになっている。なお、市販されているスチームクリーナは、装置本体を手持ち可能な小型のものと、蒸気の出力能力が大きな大型のものがあるが、本実施形態においてはどちらも適用することができる。小型のスチームクリーナを用いた場合には、熱交換器フィンの洗浄装置１０を小型化することができ、取り扱いや持ち運び容易となる。
【００１４】
カバーノズル１４は、蒸気生成装置１２の噴出口１２ａに着脱可能に装着することができる。カバーノズル１４は、噴出口１２ａとの嵌合部１４ａから開口１４ｂに向かって徐々に広がる形状であり、開口１４ｂは横長の矩形状をしている。このカバーノズル１４は、その領域内で蒸気生成装置１２の噴出口１２ａから噴出される蒸気の周囲への拡散を規制すると共にフィン３２の洗浄部位に効率的に集中させて蒸気を噴出させる。また、カバーノズル１４は、噴出した蒸気をその洗浄領域内に保持するので、洗浄領域を蒸気の高温度が保たれた蒸し状態に保つことができ、フィン３２の汚れを落としやすくすることができる。
【００１５】
本実施形態においては、更に、ブラシ１６がカバーノズルの先端面１４ｃから突出して設けられている。このブラシ１６は、図２に示すように、熱交換器のフィン３２の外形形状にほぼ整合した櫛歯形状を有する。すなわち、ブラシ１６の先端部分は、ブラシ長さが異なる凸部１６ａと凹部１６ｂとが繰り返された櫛歯形状に形成されている。これにより、ブラシ１６の凸部１６ａが各フィン列３４の隙間に入り込み、凹部１６ｂがフィン列３４の先端に当接して、ブラシ１６はフィン３２に接触することができる。これにより、ブラシ１６は、洗浄時にフィン３２に接触して汚れを落とすことができる。図２においては、ブラシ１６の構成を明瞭に示すために、ブラシ１６はフィン列３４に接触していない。
【００１６】
次に、熱交換器フィンの洗浄装置１０の作用について説明する。
【００１７】
まず、蒸気生成装置１２の噴出口１２ａにノズル１８を装着し、図２に示すように、ブラシ１６の凸部１６ａが各フィン列３４の隙間に入り込ませるように配置させる。その後蒸気生成装置１２の電源を入れて蒸気をノズル１８より噴出させる。清掃者は、図１に示す矢印方向にノズル１８を上下方向に移動させながら、フィン３２に向かって蒸気を噴出させる。噴出された蒸気は、カバーノズル１４により周囲への拡散が規制され、フィン３２に効率よく吹き付けることができる。また、ブラシ１６は、フィン３２と摺接して、蒸気により落ち易くなった汚れを落とすことができる。
【図面の簡単な説明】
【００１８】
【図１】実施形態の熱交換器フィンの洗浄装置の全体構成を示す図である。
【図２】ノズルの拡大図である。
【図３】空調装置に備えられる熱交換器の洗浄の従来例を示す図である。
【符号の説明】
【００１９】
１０  熱交換器フィンの洗浄装置、１２  蒸気生成装置、１２ａ  噴出口、１４  カバーノズル、１４ａ  嵌合部、１４ｂ  開口、１４ｃ  先端面、１６  ブラシ、１６ａ  凸部、１６ｂ  凹部、１８  ノズル。
【図１】
2005273967.tif 000003
【図２】
2005273967.tif 000004
【図３】
2005273967.tif 000005